(57)【要約】【課題】マイナスイオンの拡散を促進させることのできるマイナスイオン発生機能付き暖房器を提供する。【解決手段】枠体２の開口部２０の周辺部に設けられたマイナスイオン発生器３は、マイナスイオンを発生させる。枠体２の開口部２０付近には、熱源１の放出する熱により上昇気流が発生しているため、開口部２０付近で発生したマイナスイオンも上昇気流に乗って上昇し、部屋全体に行き渡ることとなる。【選択図】　　　　　図１
2004044965.tif 000002
【特許請求の範囲】
【請求項１】
熱源と、前記熱源を囲み、前記熱源からの熱を放出させるための開口部を有する枠体と、マイナスイオンを発生させるためのマイナスイオン発生器とを具備し、
前記マイナスイオン発生器は、前記開口部の周辺部に設けられることを特徴とするマイナスイオン発生機能付き暖房器。
【請求項２】
前記マイナスイオン発生器は、前記開口部の下方に設けられることを特徴とする請求項１記載のマイナスイオン発生機能付き暖房器。
【請求項３】
前記熱源は、ハロゲンランプであることを特徴とする請求項１または２記載のマイナスイオン発生機能付き暖房器。
【発明の詳細な説明】
【０００１】
【発明の属する技術分野】
本発明はマイナスイオン発生機能付き暖房器に関し、特に、熱源として好適なハロゲンヒータを採用したマイナスイオン発生機能付き暖房器に関する。
【０００２】
【従来の技術】
近頃の健康志向により、健康によいとされるマイナスイオンが注目されている。現代においては、大気汚染等によりイオンバランスが崩れ、プラスイオン過多の状態になっていると言われている。頭が痛い、イライラするなどのいわゆる不定愁訴、アレルギーなどの皮膚疾患、内臓の病気などは、イオンバランスが崩れていることが原因の一つであるということも言われている。このイオンバランスをもとの状態に戻し、健康を取り戻すために、マイナスイオンを発生させるためのマイナスイオン発生器が開発されている。
【０００３】
特に、現在、電極を有し、放電させることによりマイナスイオンを発生させるマイナスイオン発生器が普及している。しかし、このようなマイナスイオン発生器には、電源が必要であり、他の電気機器と電源の競合を避けるため、扇風機等の電気機器の操作部等にマイナスイオン発生機能が取り付けられた製品も開発されている。夏場においては、このようなマイナスイオン発生機能付き扇風機を使用することにより、涼を得ることができるとともに、マイナスイオン発生機能によりマイナスイオンを発生し、さらに、扇風機のファンが回転することによりマイナスイオンの拡散を促進させる効果を得ることができる。
【０００４】
【発明が解決しようとする課題】
しかし、冬場に使用する電気ストーブ等の暖房器においては、扇風機のようなファンを有していないものが多く、このような暖房器にマイナスイオン発生器を単に取り付けただけでは、マイナスイオンの拡散を促進させる効果を得ることができない場合があった。
【０００５】
本発明は、かかる従来技術の問題点を解決するべくなされたもので、マイナスイオンの拡散を促進させることのできるマイナスイオン発生機能付き暖房器を提供することを目的とする。
【０００６】
【課題を解決するための手段】
本発明に係るマイナスイオン発生機能付き暖房器は、熱源と、前記熱源を囲み、前記熱源からの熱を放出させるための開口部を有する枠体と、マイナスイオンを発生させるためのマイナスイオン発生器とを具備し、前記マイナスイオン発生器は、前記開口部の周辺部に設けられるものである。
【０００７】
本発明のマイナスイオン発生機能付き暖房器によれば、枠体に取り囲まれた熱源から発生した熱が枠体の開口部から放出されることにより周囲の温度を暖めることができる。
【０００８】
ここで、枠体の開口部から放出された熱は、当該開口部付近に温度の高い空気層を形成する。このようにして、当該温度の高い空気層上にもともとの温度の空気層（相対的に温度の低い空気層となる）が存在するため、気温差が生じ、上昇気流が発生する。これは、温度の高い空気の方が膨張するため軽いためである。発生した上昇気流は、部屋の天井にぶつかると天井を這うように横に広がり、やがて温度が下がって、下降する。こうして、室内の空気が部屋全体を循環するようになる。
【０００９】
一方、枠体の開口部の周辺部に設けられたマイナスイオン発生器は、マイナスイオンを発生させる。前述のように、枠体の開口部付近には、上昇気流が発生しているため、開口部付近で発生したマイナスイオンも上昇気流に乗って上昇し、前述のように部屋全体に行き渡ることとなる。
【００１０】
このように、マイナスイオン発生器を枠体の開口部の周辺部に設けることにより、マイナスイオンを熱源からの熱による上昇気流に乗せることができ、ファンを有しない暖房器であってもマイナスイオンの拡散を促進させることができる。
【００１１】
なお、熱源は、ハロゲンヒータ、セラミックヒータ、シーズヒータ、パネルヒータ、遠赤外線ヒータ等いずれのヒータでもよい。また、ファンを備え、温風を生じさせる暖房器であっても、マイナスイオン発生器を枠体の開口部の周辺部に設けることによって、本発明特有の効果を得ることができる。さらに、マイナスイオン発生器としては、コロナ放電方式、電子放射方式等、様々な方式のマイナスイオン発生構造を採用し得る。
【００１２】
好ましくは、前記マイナスイオン発生器は、前記開口部の下方に設けられるように構成される。
【００１３】
この場合、マイナスイオン発生器から発生したマイナスイオンのうち、より多くのマイナスイオンを前述の上昇気流に乗せることができる。したがって、より早く、より確実にマイナスイオンを拡散させることができる。
【００１４】
好ましくは、前記熱源は、ハロゲンヒータであるように構成される。
【００１５】
ハロゲンヒータは、ハロゲンランプの発光による放射エネルギーを熱として利用するヒータである。ハロゲンヒータは、光出力の立ち上がりが早いため、急速に、かつ、遠方まで熱を放出することができる。これにより、マイナスイオンをより急速に、かつ、遠方まで拡散させることができる。
【００１６】
【発明の実施の形態】
以下、添付図面を参照しつつ、本発明の一実施の形態を説明する。本実施の形態においては、熱源としてハロゲンヒータを用いた暖房器について説明するが、他の熱源、例えば、セラミックヒータ、シーズヒータ、パネルヒータ、遠赤外線ヒータ等いずれのヒータを利用した暖房器であっても同様の効果を奏する。また、本実施の形態の暖房器は、ファンを有しないが、ファンを備え、温風を生じさせる暖房器であっても、同様の効果を得ることができる。さらに、本実施の形態におけるマイナスイオン発生器として、コロナ放電方式のマイナスイオン発生器を例示するが、電子放射方式等、様々な方式のマイナスイオン発生構造を採用し得る。
【００１７】
図１は本発明に係るマイナスイオン発生機能付きハロゲンヒータの概略図である。図１（ａ）はマイナスイオン発生機能付きハロゲンヒータの正面図であり、図１（ｂ）はマイナスイオン発生機能付きハロゲンヒータの側面図である。また、図２は図１のマイナスイオン発生機能付きハロゲンヒータの一部断面図である。
【００１８】
本実施の形態のマイナスイオン発生機能付きハロゲンヒータ（以下、単にハロゲンヒータと称する場合もある）は、熱源１と、前記熱源１に囲まれた前記熱源１からの熱を放出させるための開口部２０を有する枠体２と、マイナスイオンを発生させるためのマイナスイオン発生器３とを具備する。そして、前記マイナスイオン発生器３は、前記開口部２０の周辺部に設けられるものである。
【００１９】
また、本実施の形態のハロゲンヒータは、熱源１からの熱（ここではハロゲンランプの光）を反射させ、枠体２の開口部２０へ放出させるための反射板８と、熱源１に誤って直接手を触れることがないようにするためのガード体６と、熱源１の出力を調整するためのダイオード９と、枠体２を熱源１とともに左右に揺動させるための揺動モータ１２と、熱源１および枠体２を保持し、ダイオード９、揺動モータ１２等を収納保護するための後カバー４と、熱源１のオン／オフ等の制御を行う操作パネル７と、操作パネル７が取り付けられ、後カバー４を揺動可能に保持するためのスタンド５とをさらに具備している。
【００２０】
なお、枠体２は、熱源１を囲むように設けられた前枠２１と後枠２２とで構成される。
【００２１】
本実施の形態のハロゲンヒータによれば、熱源１から発生した熱が枠体２の開口部２０から放出されることにより周囲の温度を暖めることができる。なお、本実施の形態において、熱源１の出力は、ダイオード９によって半波整流させるか否かにより、２段階に調整できる。
【００２２】
熱源１として用いられるハロゲンヒータは、ハロゲンランプの発光による放射エネルギーを熱として利用するヒータである。ハロゲンヒータは、光出力の立ち上がりが早いため、急速に、かつ、遠方まで熱を放出することができる。これにより、マイナスイオンをより急速に、かつ、遠方まで拡散させることができる。また、光であるため、図２の反射板８によって、容易に集光され、枠体２の開口部２０の方向へ、放射エネルギーを効率よく、熱として供給することができる。
【００２３】
ここで、枠体２の開口部２０から放出された熱は、当該開口部２０付近に温度の高い空気層を形成する。これにより、当該温度の高い空気層上にもともとの温度の空気層（相対的に温度の低い空気層となる）が存在するため、気温差が生じ、上昇気流が発生する。これは、温度の高い空気の方が膨張するため軽いためである。発生した上昇気流は、部屋の天井にぶつかると天井を這うように横に広がり、やがて空気の温度が下がるため、下降する。こうして、室内の空気が部屋全体を循環するようになる。
【００２４】
一方、枠体２の開口部２０の周辺部に設けられたマイナスイオン発生器３は、マイナスイオンを発生させる。マイナスイオン発生器３は、図２に示すように、放電を生じさせるための放電電極３３と、放電電極３３の対極となる対極電極３５と、対極電極３５を接地するためのアース線３４と、後カバー４内にあって、放電電極３３と対極電極３５との間に電圧を印加するための電圧印加器３１と、電圧印加器３１と放電電極３３とを繋ぐための導線３２とを具備している。
【００２５】
電圧印加器３１に高電圧（本実施の形態においては２５００Ｖ）が印加されると、放電電極３３と接地されている対極電極３５との間で放電が生じる。すなわち放電電極３３から電子が飛び出すことにより周囲の空気（水分）がマイナスイオン化されて放出される。
【００２６】
前述のように、枠体２の開口部２０付近には、上昇気流が発生しているため、開口部２０付近で発生したマイナスイオンも上昇気流に乗って上昇し、前述のように部屋全体に行き渡ることとなる。
【００２７】
このように、マイナスイオン発生器３を枠体２の開口部２０の周辺部に設けることにより、マイナスイオンを熱源１からの熱による上昇気流に乗せることができ、ファンを有しない暖房器であってもマイナスイオンの拡散を促進させることができる。
【００２８】
本実施の形態においては特に、図１に示すように、前記マイナスイオン発生器３は、前記開口部２０の下方に設けられるように構成される。
【００２９】
この場合、マイナスイオン発生器３から発生したマイナスイオンのうち、より多くのマイナスイオンを前述の上昇気流に乗せることができる。したがって、より早く、より確実にマイナスイオンを拡散させることができる。
【００３０】
ここで、図３は図１のマイナスイオン発生機能付きハロゲンヒータの後カバーを熱源の反対側から見た図である。本実施の形態においては、図３に示すように、マイナスイオン発生器３を独立して作動させるためのスイッチ１０をさらに具備するように構成される。
【００３１】
また、図４は図１のマイナスイオン発生機能付きハロゲンヒータの回路図である。本実施の形態においては、図１の操作パネル７を操作することにより、メインスイッチ７０を切り替え、熱源１の出力制御、揺動モータ１２の揺動制御等を行う。そして、図４に示すように、メインスイッチ７０とは別に、独立したスイッチ１０を設け、スイッチ１０がオンであれば、熱源１の作動状態に連動し、熱源１がオンのときであってもスイッチ１０がオフであれば、マイナスイオンは発生しないように構成されている。
【００３２】
なお、本実施の形態においては、スイッチ１０がオンなら熱源１の作動状態に連動、スイッチ１０がオフなら熱源１がオンの状態になってもマイナスイオンを発生させないとしているが、スイッチ１０とメインスイッチ７０とを完全に独立した構成（すなわち、熱源１がオフのときであってもマイナスイオンを発生させることができる）としてもよい。
【００３３】
また、本実施の形態のような独立したスイッチ１０を用いない場合は、熱源１の作動状態に連動（熱源１のオン／オフに伴ってマイナスイオン発生器３をオン／オフ）してマイナスイオンを発生させてもよいし、ハロゲンヒータをコンセントに差し込んでいる状態（あるいは主電源オンの状態）は、つねにマイナスイオンを発生させる構成としてもよい。
【００３４】
また、図３に示すように、マイナスイオン発生器３の作動確認を行うための確認ランプ１１をさらに具備するように構成されている。
【００３５】
この場合、マイナスイオン発生器３からマイナスイオンが発生しているときに、確認ランプ１１を点灯または消灯させることにより、無色無臭のマイナスイオンの発生を視覚的に容易に確認することができる。特に、本実施の形態のように、熱源１の作動状態とは独立してマイナスイオンを発生可能とする構成において、確認ランプ１１の点灯または消灯を確認することは、マイナスイオンの発生の有無が視覚的に容易に確認できるため、より効果的である。
【００３６】
なお、本実施の形態においては、図３に示すように、スイッチ１０および確認ランプ１１を後カバー４に設けるように構成されているが、操作パネル７の周辺等、他の箇所に設けてもよい。
【００３７】
【発明の効果】
本発明に係るマイナスイオン発生機能付き暖房器によれば、マイナスイオン発生器を枠体の開口部の周辺部に設けることにより、マイナスイオンを熱源からの熱による上昇気流に乗せることができ、ファンを有しない暖房器であってもマイナスイオンの拡散を促進させることができる。
【図面の簡単な説明】
【図１】本発明に係るマイナスイオン発生機能付きハロゲンヒータの概略図である。
【図２】図１のマイナスイオン発生機能付きハロゲンヒータの一部断面図である。
【図３】図１のマイナスイオン発生機能付きハロゲンヒータの後カバーを熱源の反対側から見た図である。
【図４】図１のマイナスイオン発生機能付きハロゲンヒータの回路図である。
【符号の説明】
１…熱源　２…枠体　３…マイナスイオン発生器　１０…スイッチ　１１…確認ランプ　２０…開口部
【図１】
2004044965.tif 000003
【図２】
2004044965.tif 000004
【図３】
2004044965.tif 000005
【図４】
2004044965.tif 000006